(57)【特許請求の範囲】
【請求項１】
ボトル体の上端に装着される栓体を有し、この栓体にボトル体内に通じる基部通路と、この基部通路に注出口を介して通じた直飲みできる飲み口とを設け、栓体は、ボトル体の口部外側に装着される外栓部と、この外栓部からボトル体の口部内側に入って前記基部通路、注出口および飲み口を形成する中栓部とを有し、中栓部は、ボトル体の口部内側に沿う樹脂製の外筒と、前記基部通路、注出口および飲み口を有して前記外筒に下方から取り外せるように回り止め状態に嵌め合わされて相互間全周に及ぶ環状の空間を形成した樹脂製の内筒との組み合わせとしたことを特徴とするボトル栓。
【請求項２】
前記空間の上側および下側において内外筒間をシールしたシール部を設けたことを特徴とする請求項１に記載のボトル栓。
【発明の詳細な説明】
【技術分野】
【０００１】
本発明は、ボトル体の口部に装着されて内容液を直飲みできるようにするボトル栓と、これを用いた片開きボトルに関するものである。
【背景技術】
【０００２】
このようなボトル栓や片開きボトルは既に知られており（例えば、特許文献１参照。）、ボトル体にボトル栓を装着したボトル本体と、ボトル栓にヒンジ連結した片開き蓋とを持ち、ボトル本体を片手持ちして片開き蓋を開くとそのまま飲み口から直飲みできようになっている。飲み口は直飲みしやすいように、特許文献１に開示されているようなボトル栓上端の前部寄りに細く立ち上がるように設けられるのが一般的であり、多くは前傾している。
【先行技術文献】
【特許文献】
【０００３】
【特許文献１】特開２００６−１６０２７８号公報
【発明の概要】
【発明が解決しようとする課題】
【０００４】
しかし、特許文献１に記載のような細く立ち上がる飲み口は、吸い飲みできるにもかかわらず、吸い飲みするとボトル体内への吸気ができないために内容液の注出がスムーズでない。スムーズな連続注出状態を得るには、飲み口の後部側に吸気隙間を残すように飲み口に口を付ける必要がある。このため、飲みにくく慣れが必要になる不便がある。また、急いだり、歩行など動きながらの直飲みの場合細く立ち上がる飲み口一杯に内容液を注出してしまって溢れ出たり、吸気ができなくなったりすることも生じやすい問題がある。
【０００５】
そこで、本発明者は、この種片開きボトルのボトル栓の改良につき、試行錯誤しながら開発を進め、飲み口を大きくしてその周方向一部への口付けにて容易に直飲みし、かつ、飲み口への内容液の注出の流れを適度に制限して注出状態を容易に失敗なく調整できるボトル栓を実現した。
【０００６】
本発明はそのような開発の基に、注出状態の容易で失敗のない調節を伴い直飲みしやすくできるボトル栓とこれを用いた片開きボトルを提供することを課題とする。
【課題を解決するための手段】
【０００７】
上記課題を解決するため、本発明のボトル栓は、ボトル体の上端に装着される栓体を有し、この栓体にボトル体内に通じる基部通路と、この基部通路に注出口を介して通じた直飲みできる飲み口とを設けたことを基本構成とする。
【０００８】
このような構成によれば、ボトル体から流出してくる内容液を基部通路から注出口を通じ飲み口へのスムーズな注出状態を得、飲み口への内容液の注出状態や注出量を確認しながらの過不足ない思い通りの注出調節の基に容易に飲めるようにする。
【０００９】
本発明は、基本構成に加え、栓体は、ボトル体の口部外側に装着される外栓部と、この外栓部からボトル体の口部内側に入って前記基部通路、注出口および飲み口を形成する中栓部とを有し、中栓部は、ボトル体の口部内側に沿う樹脂製の外筒と、前記基部通路、注出口および飲み口を有して前記外筒に下方から取り外せるように回り止め状態に嵌め合わされて相互間全周に及ぶ環状の空間を形成した樹脂製の内筒と、の組み合わせとしたことを特徴とする。
【００１０】
このような構成により、さらに、ボトル栓が外栓部でボトル体の口部外側に装着されてボトル体の口部外回りを外装して、しかも、中栓部でボトル体の側では得にくい前記基部通路、注出口および飲み口を持った通路構造を容易に実現することができる。また、中栓部は、前記基部通路、注出口および飲み口を形成する内筒の立体形状と、外筒のボトル体の口部内側に沿う単純形態とを利用して樹脂部材の内外筒相互間全周に及ぶ環状の空間を形成し、ボトル栓のボトル体側と上端側とを空気断熱することができ、保温、保冷のいずれにも好適であるし、保冷時にボトル栓のボトル体側と外気との温度差のためにボトル栓の上端面に結露するのを防止することができる。しかも、内外筒は互いが回り止めおよび位置決め状態に嵌め合わされる上、内筒を外筒から下方に取り外して空間を解放しお手入れできるようにする。 
【００１１】
上記において、さらに、前記空間の上側および下側において内外筒間をシールしたシール部を設けたことを特徴とすることができる。
【００１２】
このような構成によれば、上記に加え、さらに、空間の上側および下側双方にシール部があることにより、空間は密閉空間となり、空気断熱効果が向上する上、内筒の空間内側面で結露が生じても外部に漏れ出る心配はない。
【００１７】
本発明のそれ以上の特徴は、以下の具体的な説明および図面によって明らかになる。また、本発明の各特徴はそれ自体単独で、あるいは複合して種々な組み合わせで採用することができる。
【発明の効果】
【００１８】
本発明のボトル栓の基本構成によれば、ボトル体からの内容液を基部通路に受け入れて注出口へスムーズに案内し、注出口から飲み口に注出して受けて飲み口周方向一部への口付けにより、飲み口への内容液の注出状態や注出量を確認して過不足ない思い通りの注出調節の基に容易に飲めるようにする。
【００１９】
特に、ボトル栓が外栓部でボトル体の口部を外装するように装着できて、しかも、中栓部で前記基部通路、注出口および飲み口を持った複雑な通路構造を容易に実現する。また、中栓部が外筒のボトル体の口部内側に沿って樹脂部材の内外筒相互間形成する環状の空間による空気断熱によりボトル体の保温、保冷特性を高められる。同時に、保冷時に外気との温度差のためにボトル栓の上端面に結露するのを防止できる。しかも、内外筒は互いが回り止めおよび位置決め状態に嵌め合わされる上、内筒を外筒から下方に取り外して閉空間を解放しお手入れできるようにする。 
【００２０】
上記に加え、さらに、中栓部はボトル体の口部への装着によって口部との間をシールでき、内外筒の間がシールされているので、内容液が漏れ出ることはない。
【図面の簡単な説明】
【００２３】
【図１】本発明の実施形態の片開きボトルを示す断面図である。
【図２】同片開きボトルの側面図および一部を除く平面図である。
【図３】同片開きボトルのボトル本体の平面図である。
【図４】同片開きボトルの栓体と金属製真空二重容器の口部との関係を示す断面図である。
【図５】同片開きボトルの栓体および片開き蓋を、中栓部における飲み口を持った内筒を分離して示す断面図である。
【図６】同片開きボトルの外栓部の平面図、中栓部の内筒の正面図、側面図、平面図である。
【図７】同片開きボトルの栓体と開き状態の片開き蓋との関係を示す斜視図である。
【図８】同片開きボトルの栓体と開き状態の片開き蓋との関係を、上下反転した状態の栓体から中栓部の内筒を外して見た斜視図である。
【図９】同片開きボトルの片開き蓋とロック機構とを、ロック機構におけるロック解除操作部材を係脱部材上から取り外して見た分離したボトルを示す斜視図である。
【図１０】本発明の別の実施形態の片開きボトルを示す断面図である。
【発明を実施するための形態】
【００２４】
以下、本発明のボトル栓およびこれを用いた片開きボトルにつき図１〜図１０に示す実施の形態に基づき詳細に説明する。
【００２５】
本実施の形態の片開きボトルは図１に示すように、ステンレス製の内壁及び外壁の間に真空断熱空間２を有するボトル体としての真空二重容器１と、この真空二重容器１の口部１ａの外壁に形成された雄ねじ３に螺合する雌ねじを有し、シールパッキン９を介して真空二重容器１に装着されたボトル栓である合成樹脂製の栓体５とによりボトル本体２０をなしている。このボトル本体２０にはその栓体５が形成する上端部の片側、具体的には背面側に回動軸６によるヒンジ連結部１０を中心にボトル本体２０の上端部に被さって栓体５に有する直飲み用の飲み口１４を閉じ、また開く開閉動作をする片開き蓋７が設けられている。しかし、ボトル本体２０は断熱性の有無、金属製、非金属製、飲み口１４の構造など自由に設計でき、具体的な構造は特に問わない。また、片開き蓋７の材料も特に問うものではない。片開き蓋７とボトル本体２０との間には片開き蓋７を閉じ状態にロックし、またそのロックを解除するロック機構８が設けられている。
【００２６】
図示例の上記真空二重容器１は、片手持ちできる程度にスリム化した胴部１ｂを有し、この胴部１ｂの上部は、口部１ａに装着された栓体５とほぼ同径に形成されている。真空二重容器１の胴部１ｂや栓体５部を片手持ちして、片手持ちしている手の指によるロック機構８の操作や、これに伴う片開き蓋７の開き操作や、片開き蓋７の開放後に飲み口１４による直飲み動作を行い易い形状になっている。しかし、図示例の片開き蓋７は回動軸６まわりに装着した蔓巻きタイプのばね１３１により開き方向に付勢してある。従って、片開き蓋７のロック機構８による閉じ位置へのロックは蔓巻きばね１３１の付勢に抗して行われ、このロックが解除されると片開き蓋７は蔓巻きばね１３１の付勢により自動的に開かれる。このような開き方向への付勢はボトル本体２０の飲み口１４まわりに設けた弾性体や、片開き蓋７に設けた飲み口１４をシールする弾性を有したシールパッキン１６などによって代替することもできる。
【００２７】
ここで、本実施の形態での栓体５は図１に示すように、金属製真空二重容器１内に通じる基部通路５２ａ１と、この基部通路５２ａ１に注出口５２ａ３を介して通じた直飲みできる飲み口１４とを、注出口５２ａ３の面積に対し基部通路５２ａ１および飲み口１４の両面積を大きくしている。これにより、金属製真空二重容器１から流出してくる内容液を大きな面積の基部通路５２ａ１から面積が小さい注出口５２ａ３を通じこの注出口５２ａ３よりも面積の大きな飲み口１４に注出させることになる。この結果、一旦面積の大きな基部通路５２ａ１に内容液を受け入れて面積の小さな注出口５２ａ３へスムーズに案内できる。また、注出口５２ａ３からはそれよりも面積が大きい飲み口１４に注出されて受けられ、飲み口１４に受けた注出内容液はその面積が大きいことを利用した周方向一部への口付け状態にて、従って飲み口１４ではもとより注出口５２ａ３での吸気を邪魔することなくスムーズな注出状態を得て、飲み口１４への内容液の注出状態や注出量を確認しながらの過不足ない思い通りの注出調節の基に容易に飲めるようにする。従って、金属製真空二重容器１からの内容液を一旦面積の大きな基部通路５２ａ１に受け入れて面積の小さな注出口５２ａ３へスムーズに案内し、注出口５２ａ３からはそれよりも面積が大きい飲み口１４に注出して受けて、それを面積の大きな飲み口１４周方向一部への口付けにより、飲み口１４ではもとより注出口５２ａ３での吸気を邪魔せずスムーズに注出させながら飲み口１４への内容液の注出状態や注出量を確認して過不足ない思い通りの注出調節の基に容易に飲めることになる。
【００２８】
また、片開き蓋７は閉じ状態において、飲み口１４内に進入して注出口５２ａ３をシールパッキン１６で閉じるようにしており、面積の大きな飲み口１４を閉じる必要がなく、飲み口１４に開口している面積の小さな吸気兼用となる注出口５２ａ３の１つをシールして閉じるだけで、内容液の流出はもとより少しの漏れ出しも阻止することができる。
【００２９】
栓体５は、また、金属製真空二重容器１の口部１ａ外側に装着される外栓部５１と、この外栓部５１から口部１ａ内に入って基部通路５２ａ１、注出口５２ａ３および飲み口１４を形成する中栓部５２とを有し、中栓部５２は、口部１ａ内側に沿う外筒５２ｂと、基部通路５２ａ１、注出口５２ａ３および飲み口１４を有して前記外筒５２ｂに嵌め合わされて、相互間にシール構造を有した密閉中空部となる空間５３を形成している。これにより、栓体５が外栓部５１で口部１ａ外側に装着されて口部１ａ外回りを外装して、しかも、中栓部５２で金属製真空二重容器１の側では得にくい基部通路５２ａ１、注出口５２ａ３および飲み口１４を持った複雑な通路構造を容易に実現することができる。また、中栓部５２は、基部通路５２ａ１、注出口５２ａ３および飲み口１４を形成する内筒５２ａの立体形状と、外筒５２ｂの口部１ａ内側に沿う単純形態とを利用して相互間に空間５３を形成し、栓体５の金属製真空二重容器１側と上端側とを空気断熱することができ、保温、保冷のいずれにも好適である。特に、保冷時に栓体５の金属製真空二重容器１側と外気との温度差のために栓体５の上端面に結露するのを防止することができるし、空間５３は内筒５２ａと外筒５２ｂとの嵌め合わせ部間でのシール構造による密閉中空部であるので、内筒５２ａの空間５３内表面に結露することはあっても流出することはない。このように、栓体５が外栓部５１で口部１ａを外装するように装着できて、しかも、中栓部５２で基部通路５２ａ１、注出口５２ａ３および飲み口１４を持った複雑な通路構造を容易に実現する。また、中栓部５２が形成する空間５３による空気断熱により保温、保冷特性を高められる。同時に、保冷時に外気との温度差のために栓体５の上端面に結露するのを防止できるし、空間５３は内筒５２ａ、外筒５２ｂ間でのシール構造により密閉空間で内筒５２ａの空間内表面に結露することはあっても流出することはないので、お手入れが不要となる。
【００３０】
外栓部５１は、真空二重容器１の口部１ａの前記雄ねじ３に螺合して口部１ａを覆うほぼ円筒形をなし、中栓部５２は外栓部５１の内側で口部１ａ内側進入し口部１ａの段部に前記シールパッキン９を圧接させて真空二重容器１を密閉するように構成され、外栓部５１に中栓部５２が嵌めあわされて栓体５を形成している。飲み口１４は中栓部５２の天面のヒンジ連結部１０とは反対の側、具体的には前部側に偏って位置し、片開き蓋７がヒンジ連結部１０を中心に開いて後部側に起立し後傾した状態においてボトル本体２０を前傾させたときに、片開き蓋７の邪魔なしに口を付けやすく、直飲みしやすいようにしている。
【００３１】
ロック機構８は、ボトル本体２０側に設けられたロック機構固定部である係合部３１と、片開き蓋７に外面同士が面一となるのを常態として設けられて片開き蓋７が閉じられたとき前記係合部３１に一時的な係合部３１からの退避動作を伴い係合してロックし、また、外面からの一時的な退避操作によりロックを解除するロック機構可動部であるロック部材３２とで構成している。これにより、ボトル本体２０の上端部片側へのヒンジ連結部１０を中心に、直飲み用の飲み口１４をボトル本体２０の上端部と共に覆って閉じ内容液の流出を防止し、また、ボトル本体２０の上端および飲み口１４を開放するようにヒンジ連結部１０側に片開きして飲み口１４から直飲みできるようにする片開き蓋７に対し、ロック部材３２はボトル本体２０との間で片開き蓋７が閉じられたときロック部材３２をボトル本体２０側の係合部３１に一時退避動作を伴い係合させて閉じ状態にロックし、また、ロック部材３２に外面からの一時的な退避操作を受けて前記ロックを解除するが、このロック、ロック解除のための可動部であるロック部材３２が、片開き蓋７の側に設けられて、ボトル本体２０の側のロック機構８における固定部としての係合部３１に係脱して、片開き蓋７を閉じ状態にロックし、またロックを解除することができ、片開き蓋７と飲み口１４との間に得た十分な奥行きおよび縦方向範囲のデッドスペースＳを得て、片開き蓋７と外面同士が面一になるように、また十分な縦方向寸法を持って設けられる。
【００３２】
この結果、直飲み用の飲み口１４をボトル本体２０の上端部と共に覆って閉じ、また、それらを開放するように片開きする片開き蓋７を閉じ状態にロックし、また、ロックを解除するロック機構８において、その可動部であるロック部材３２を片開き蓋７の側に設けて、ボトル本体２０の側の係合部３１との係脱により片開き蓋７の閉じ状態へのロック、ロック解除ができ、片開き蓋７と飲み口１４との間に得た十分な奥行きおよび縦方向範囲のデッドスペースＳを利用して、片開き蓋７と外面同士が面一になり洗浄や拭き取りの作業の邪魔にならず、かつ、かさ張らず単純かつすっきりした外観が得られるし、他との引っかかりや当りによる外力を受けにくくするのに併せ、十分な縦方向寸法を有して操作しやすいものとすることができる。
【００３３】
また、ロック部材３２は、前記係合部３１と係脱する係脱部材３２１と、この係脱部材３２１を片開き蓋７と外面同士が面一であることを常態として覆い外面からの押圧操作で係脱部材３２１を退避動作させるロック解除操作部材３２２とで構成している。
このように、ロック部材３２が、ボトル本体２０側の係合部３１と係脱する係脱部材３２１を有することで、閉じられた片開き蓋７を係合部３１からの一時的な退避動作を伴い係合して閉じ状態にロックすることができ、係脱部材３２１を片開き蓋７と外面同士が面一であることを常態として覆うロック解除操作部材３２２を有することで、ロック解除操作部材３２２とその動きだけが外観されるようにすることができる。従って、片開き蓋７と外面同士が面一であることを常態とするロック解除操作部材３２２のロック解除操作や復帰の動きだけを外観させて操作の単純さをユーザに直感させ使用しやすくすることができるし、係脱部材３２１を外力や異物の噛み込み、塵埃の付着などから保護できる。
【００３４】
また、片開き蓋７には図１、図２、図８に示すような安全ストッパ３３が設けられ、ロック解除操作部材３２２のロック解除操作を阻止する図２に示す操作阻止位置と、その阻止を解除する図８に示す操作阻止解除位置とに移動できるようにしている。これにより、安全ストッパ３３が片開き蓋７上で操作阻止位置と操作阻止解除位置のどちらに移動させるかで、ロック解除操作部材３２２によるロック解除操作を阻止して不用意な操作が行われなくしたり、ロック解除操作して片開き蓋７の閉じ位置へのロックを解除できるようにしたりすることができる。従って、安全ストッパ３３の片開き蓋７上での２つの位置間の選択的な移動操作だけで、ロック解除操作部材３２２によるロック解除操作を阻止して不用意な操作に対する安全を図りながら、必要に応じロック解除操作することができる。
【００３５】
また、ボトル本体２０の側に、ロック部材３２ないしはその係脱部材３２１の退避動作完了後の延長動作で当接し合って片開き蓋７の開き方向側に誘導する図１、図３、図５〜図７に示すような案内部３４を設けてある。これにより、ロック部材３２ないしは係脱部材３２１がロック解除操作による一時退避動作で係合部３１から外れて以降の延長動作ができ、これによってロック部材３２ないしは係脱部材３２１はボトル本体２０側の案内部３４に当接して片開き蓋７を伴いそれが開く方向側に誘導されて、片開き蓋７を少なくともロック部材３２ないしは係脱部材３２１によるロック位置から退避させるので、ロック部材３２ないしは係脱部材３２１のロック解除操作からの解放時期が早すぎて再度ロックしてしまうようなことを回避することができる。従って、ロック部材３２ないしは係脱部材３２１がロック解除操作により係合部３１から外れて以降の延長動作でのボトル本体２０側の案内部３４との当接による誘導で、片開き蓋７を少なくともロック位置から退避させ、ロック部材３２ないしは係脱部材３２１のロック解除操作の解放時期が早すぎ片開き蓋７を再度ロックしてしまい、再度のロック解除操作が必要となる不便をなくすことができる。
【００３６】
さらに、係脱部材３２１およびロック解除操作部材３２２は、片開き蓋７に径方向に進退できるように支持され、係脱部材３２１を図１、図９に示すようにばね３５により外径側に付勢して係脱部材３２１がボトル本体２０側の図１、図７に示す内径側に向く係合部３１との係合位置に常時位置し、かつロック解除操作部材３２２を係脱部材３２１により常態位置に保持するようにしている。これにより、係脱部材３２１およびロック解除操作部材３２２は共に片開き蓋７に対し径方向に進退するように単純に支持されて、しかも、ロック解除操作部材３２２による係脱部材３２１に対するばね３５に抗し退避操作し、係脱部材３２１がばね３５の付勢で復動するのにロック解除操作部材３２２を常態位置に復動させる、互いの動作伝達が摺動成分なしに行われる。従って、係脱部材３２１およびロック解除操作部材３２２は共に進退するだけの支持構造が簡単で安価なものとなる上、互いの必要な動作伝達が摺動成分や拗れなしにスムーズに行え、耐久性も高上する。
【００３７】
さらに詳述すると、中栓部５２は飲み口１４が一体成形された図５〜図７に示すような内筒５２ａと内筒５２ａの外周側に空間５３をなして嵌り合う外筒５２ｂとで図１に示すような二重構造に形成されている。内筒５２ａは前記シールパッキン９を外周の溝５２ａ９に装着して口部１ａの段部に圧接させる大径の基部通路５２ａ１からボトル本体２０の中心近傍から前部側に絞った案内流路５２ａ２をなして立ち上がり、上端部にヒンジ連結部１０の近傍から片開き蓋７の周壁との間にロック機構８を設けるデッドスペースＳを確保する前部位置まで、案内流路５２ａ２よりも後方側に大きく広がる飲み口１４に対し案内流路５２ａ２よりも若干小さいが前後方向、従って、径方向に長くした注出口５２ａ３にて通じるようにしている。飲み口１４は底部が後部から前部へ深くなり、上端が後部から前部へと高くなる図７、図８に示すような皿型をなしている。ほぼ満水時状態で図１に示すように液面３６が飲み口１４の前端１４ａに届くまでボトル本体２０を傾けたとき、飲み口１４の前部には注出口５２ａ３を通じて流出した内容液の溜まり部１４ｂができ、この溜まり部１４ｂに内容液を大径の基部通路５２ａ１から注出口５２ａ３側に狭くなる案内流路５２ａ２に案内した上で、注出口５２ａ３によりダイレクト流出を防止する、従って、ボトル本体２０の傾け加減によって流出を止めたり、流出させたりする機能を発揮する少しの堰部５２ａ４を有して、直飲みしやすい案内流路幅にさらに絞って注ぎ出しながら、思い通りの流出状態で直飲みできるようにしている。飲み口１４の前端１４ａからの流出量を調整して乱れなく静かに直飲みすることができる。また、注出口５２ａ３は図３、図６に示すように案内流路幅を規制する幅よりも径方向での前後方向長さの方が大きく、図１の液面３６が示すように内容液が満杯状態から流出する場合でも注出口５２ａ３の後部に吸気路域５２ａ５が確保されるので、内容液を乱れなくスムーズに流出させられる。これによって、注出口５２ａ３が、満杯状態の内容液をボトル体体２０の傾けにより注出口５２ａ３から注出させるときの液面３６に対し吸気路域５２ａ５を持つ位置および大きさに形成する吸気兼用の注出口５２ａ３となっており、内容液が少ないときはもとより、満杯状態での注出時であっても内容液を注出口５２ａ３から飲み口１４へ注出しながら、周方向一部に口付けされる飲み口１４を通じた吸気を確保することができる。
【００３８】
内筒５２ａと外筒５２ｂとは案内流路５２ａ２まわりの全周に前記空間５３を形成しており、中栓部５２の天部での内外間を空気断熱するので金属製真空二重容器１と共に保温、保冷に有利であるし、保冷時に外気温との差で中栓部５２の天面に結露するようなことを防止できる。内筒５２ａと外筒５２ｂとは空間５３を形成するために、上部と下部とで既述のシール構造を付与して嵌り合っているが、その少なくとも一方は全周につき接着、超音波溶着などしたシール一体化構造として、万一にも内容液が中栓部５２の内側から外側に漏れ出るのを防止するようにしている。特に、図示例では内筒５２ａの飲み口１４を持った天板５２ａ６と、外筒５２ｂの天板５２ｂ１との、嵌め合わせ部で超音波溶着し、内筒５２ａの基部通路５２ａ１外周に外栓部５１の下端を図４に示すように嵌め合わせてフランジ５２ａ７で受け止め、その嵌め合わせ部間はシールパッキン３７によりシールしてあり、シールパッキン３７は内筒５２ａの基部通路５２ａ１に形成した環状溝５２ａ８に装着してある。外栓部５１は外筒５２ｂの天板５２ｂ１の外周に天板５１ａを無理嵌めした図１、図５に示す無理嵌め部３９を有して一体化してあり、上部に片開き蓋７を開閉できるように支持する前記ヒンジ連結部を有している。さらに、図８に示すように天板５２ｂ１の下面には天板５２ａ６の切り欠き５２ａ１０と嵌り合う凸部５２ｂ２を設け、互いの回り止め、位置決めをしている。
【００３９】
片開き蓋７は閉じ状態で注出口５２ａ３を閉じるシールパッキン１６を天板７ａから下向きに突出した突起７ｂの先端に取り付けてあり、天板７ａ上の前後方向のほぼ中央部から前部側周壁７ｃに至る図１、図８、図９に示すような鉤型のポケット４１を設け、このポケット４１にロック機構８を収容している。具体的には、ポケット４１の天面前部の前方に開放した凹部４２を形成して図１、図５、図９に示すようなΓ型の係脱部材３２１の上辺３２１ａを前後摺動できるように受け入れ、ばね３５により前部側に付勢している。この付勢によって係脱部材３２１の下端にある前部に向いたフック３２１ｂがボトル本体２０の外栓部５１の前部上端に後部に向いて一体形成した図１、図７に示すようなフック形の係合部３１に係合する位置を保たせるようにしている。この係脱部材３２１を嵌め入れた図９に示す状態のポケット４１に、図１、図８、図９に示すような鉤型のロック解除操作部材３２２を上方から嵌め入れて、上辺３２２ａの下面の前後方向の中央部両側に下向きに一体形成した一対のフック片３２２ｂを、ポケット４１の天面部両側壁面に内向きに一体形成した係合部４１ａを弾性係合させることにより、上方への抜け止め状態で前後にスライドできるように取り付け、同時に、ロック解除操作部材３２２によって係脱部材３２１をポケット４１内に前後摺動できるように保持するようにしている。ロック解除操作部材３２２の上辺３２２ａにおける下面の前記フック片３２２ｂの前部側に前記係合部４１ａの前端と対抗するストッパ３２２ｃを一体形成してあり、ロック解除操作部材３２２によって係脱部材３２１をばね３５に抗して後退させ、係合部３１との係合を外して片開き蓋７のロックを解除して、さらに、係脱部材３２１のフック３２１ｂを前記案内部３４に乗り上げさせて、片開き蓋７の初期開きを達成する時点で、ストッパ３２２ｃが係合部４１ａに当接し、それ以上の操作を防止するようにしている。また、ロック解除操作部材３２２はその上辺３２２ａの前部から垂下する押し込み操作片３２２ｄの下端が図１に示すように片開き蓋７の周壁７ｃのポケット４１の底部から立ち上がる立ち上がり壁４１ｃに内側から当接することで、復帰位置が規制され、またポケット４１から前方へ抜け出るのを防止されている。またボトル本体２０側の係合部３１は外栓部５１の上端から図１、図７に示すように突出して形成され、片開き蓋７の周壁７ｂにはこれに対する逃げとなる図２、図７、図８に示すようなきり欠き７ｄを設けてあり、この切り欠き７ｄに係脱部材３２１のフック３２１ｂが図７、図８に示すように内側から臨んでいる。
【００４０】
したがって、ロック解除操作部材３２２の過剰な操作を阻止してそれ自体や他の部材などの損傷を防止して、しかも、片開き蓋７はロック解除操作の最終段階での初期開きにより係脱部材３２１によるロック位置から上方へ退避しているので、ロック解除操作部材３２２や片開き蓋７が解放されて係脱部材３２１がばね３５の付勢によってロック解除操作部材３２２を伴い係合位置に復帰したとき、片開き蓋７を再度ロックすることはなく、片開き蓋７は、ばね１３１の付勢によって自動的に確実に開かれる。片開き蓋７が開き位置から閉じられると、係脱部材３２１はボトル本体２０側の係合部３１との係合位置に復帰しているが、ロック解除操作部材３２２の内側で単独にスライドできるので、片開き蓋７の閉じの最終段階でフック３２１ｂが係合部３１に上方から当接していくときに、それらの一方または双方の斜面や曲面での滑りによって係脱部材３２１がばね３５に抗し一時的に後方へ単独で退避させられながら係合部３１との係合位置に達する。フック３２１ｂが係合部３１との係合位置に達したとき、係脱部材３２１はばね３５の付勢により係合位置に単独で復帰しフック３２１ｂが係合部３１に図１に示すように係合するので、片開き蓋７を自動的に閉じ状態にロックする。なお、片開き蓋７を閉じるのに、自由端部の上面および前面に掛けて位置するロック解除操作部材３２２を押圧する形で閉じ操作すればよく、このように閉じ操作はロック解除操作部材３２２に対する押圧力を働かせるだけであるので、前後にスライドするロック解除操作部材３２２を不用意に移動させることはないし、ロック解除操作部材３２２はポケット４１の底部に受けられて破損するようなことはない。
【００４１】
しかも、図８に示すようにロック解除操作部材３２２は広く大きなものとして設けられるので、操作性が向上し動きが安定しがたつかない利点がある。また、その内側の係脱部材３２１も外部に露出させないで大きくすることができ、係合音を伴うロック感やロックの確実性が増す。また、片開き蓋７上の主要部材であるロック解除操作部材３２２は係脱部材３２１、安全ストッパ３３と共に飲み口１４とほぼ対応する位置にあって、しかも、ほぼ飲み口１４に対応する鉤型面範囲内に収まって設けられる。
【００４２】
前記安全ストッパ３３は樹脂製の一体成形品で、図１、図２、図８に示すような左右方向に長い操作頭部３３ａを有し、ロック解除操作部材３２２の上辺３２２ａに形成した凹部６１内を左右にスライドできるように収容される。安全ストッパ３３は凹部６１の底部に設けた図１、図９に示すような左右のスライド窓６１ａに操作頭部３３ａの下面の左右方向中央部の両側に一体成形した図１、図９に示すようなフック片３３ｂを上方から弾性係合させて抜け止めし、左右にスライドできるように支持される。操作頭部３３ａの下面にはさらに、図９に示すようなストッパ３３ｃが一体成形されている。安全ストッパ３３のロック解除操作を阻止する図１に示す阻止位置では、ストッパ３３ｃがポケット４１の天面部の後部に一体成形された受け止め突起４１ｂと対向して、ロック解除操作部材３２２が後退操作されると、従って、ロック解除操作されると、それらストッパ３３ｃと受け止め突起４１ｂとが突っ張って、後退操作、従ってロック解除操作を阻止する。また、安全ストッパ３３の図８に示す阻止解除位置では、ストッパ３３ｃが受け止め突起４１ｂとの対向位置から外れ、ロック解除操作部材３２２が後退させられても、従って、ロック解除操作されても、ストッパ３３ｃは受け止め突起４１ｂに当接せず、後退操作、従ってロック解除操作を阻止しない。なお、図示しないがフック片３３ｂの一方とこれが摺動するスライド窓６１ａの縁との間でクリック係合する係合部を前記阻止位置と阻止解除位置とに対応する２箇所に設け、安全ストッパ３３をいずれかの位置に選択的に安定させられるようにする。なお、安全ストッパ３３は横スライド方式の動作部材としたが、押し込み方向での動作部材とすることもできる。
【００４３】
なお、栓体５の中栓部５２は、ボトル体１の口部１ａ内側に沿う外筒５２ｂと、この外筒５２ｂに嵌め合わされて相互間に空間５３を形成した内筒５２ａとの組み合わせとするのに、上記実施の形態とは別に、中栓部５２は、基部通路５２ａ１の下端部外周でボトル体１の口部１ａとの間をシールするシールパッキン９と、空間５３の上側および下側の少なくとも一方において内外筒５２ａ、５２ｂ間をシールしたシールパッキン３７とを設ければ、中栓部５２はボトル体１の口部１ａへの装着によって口部１ａとの間をシールでき、内外筒５２ａ、５２ｂの間がシールされているので、内容液が漏れ出ることはない。よりよくは上記実施の形態のように空間５３の上側および下側双方に内外筒間のシール部があれば、既述したように空間５３は密閉空間となり、空気断熱効果が向上する上、内筒５２ａの空間５３内側面で結露が生じても外部に漏れ出る心配はなく、内外筒５２ａ、５２ｂ間のシール部が弾性を持ったシールパッキン３７のみによるものであれば、内外筒５２ａ、５２ｂの嵌め合わせを外して空間５３内側を露出させ、結露水などを排出し、拭い取るお手入れができ、シール部が既述したように超音波溶着や接着、無理嵌め構造などの一体化を伴うものであれば、内側に結露してもお手入れは不要となる。
【００４４】
ここで、中栓部５２の内外筒５２ａ、５２ｂの組み合わせを着脱できるようにした実施の形態を示すと、図１０に示すように内外筒５２ａ、５２ｂ間の空間５３の上側相互間に弾性を有したシールパッキン３７によるシール部を設け、空間５３の下側相互間はシールパッキン３７の弾性嵌合による滑り止め機能による当たり保持による閉じ部としてあり、空間５３を一応の閉空間にするように構成しているが、内外筒５２ａ、５２ｂはシールパッキン３７による滑り止め力に打ち勝って嵌め合わせたり、嵌め合わせを外したりすることができる。
【産業上の利用可能性】
【００４５】
本発明はボトル栓、片開きボトルに実用して、ロック機構の可動部を片開き蓋の外面から突出せず、かつ操作しやすく設けられる。
【符号の説明】
【００４６】
１ 真空二重容器
１ａ 口部
５ 栓体
５１ 外栓部
５２ 中栓部
５２ａ 内筒
５２ｂ 外筒
５２ａ１ 基部通路
５２ａ２ 案内流路
５２ａ３ 注出口
５２ａ４ 堰部
５２ａ５ 吸気路域
７ 片開き蓋
８ ロック機構
９、１６、３７ シールパッキン
１０ ヒンジ連結部
１４ 飲み口
２０ ボトル本体
１３１ ばね
【図１】
0005288011.tif 000002
【図２】
0005288011.tif 000003
【図３】
0005288011.tif 000004
【図４】
0005288011.tif 000005
【図５】
0005288011.tif 000006
【図６】
0005288011.tif 000007
【図７】
0005288011.tif 000008
【図８】
0005288011.tif 000009
【図９】
0005288011.tif 000010
【図１０】
0005288011.tif 000011